(57)【要約】【課題】医療従事者が呼び出しの理由を把握でき、医療従事者の負担を軽減し、迅速な対応を行うことが可能なナースコール子機を提供する。【解決手段】回転式入力部５０は、患者や被介護者の操作により、円盤もしくは半円盤状の回転体が回転（もしくは回動）することに伴って、ＯＮ／ＯＦＦが繰り返され、患者や被介護者から入力を受け付ける。ボタン式入力部６０は、ボタンを備え、このボタンを患者や被介護者が指で押下することによってＯＮ状態となり、指を放すことによりＯＦＦ状態に復帰するスイッチである。制御部１００は、患者や被介護者による回転式入力部５０の操作に応じた画像を表示部３０に表示させ、これに合わせてボタン式入力部６０が操作されると、表示部３０に表示させた表示内容に応じた要求を示す呼出データをナースコール親機に送信するようにしたものである。【選択図】      図２
2006191293.tif 000002
【特許請求の範囲】
【請求項１】
医療従事者を呼び出すナースコール子機において、
要求の内容に対応づけられた呼出データを記憶する呼出データ記憶手段と、
ユーザから前記要求の内容を受け付ける受付手段と、
この受付手段が受け付けた内容に対応する呼出データを前記記憶手段から読み出して送信する送信手段とを具備したことを特徴とするナースコール子機。
【請求項２】
前記受付手段は、
画像を表示する表示手段と、
前記要求の内容に対応する画像データを記憶する画像データ記憶手段と、
ユーザの操作に応じて前記画像データ記憶手段から画像データを読み出して、前記表示手段に表示する第１操作手段と、
ユーザの操作に応じて前記表示手段に表示している画像データに対応する要求の内容を受け付ける第２操作手段とを備えることを特徴とする請求項１に記載のナースコール子機。
【発明の詳細な説明】
【技術分野】
【０００１】
この発明は、例えば病院や介護施設に導入されるナースコールシステムのナースコール子機に関する。
【背景技術】
【０００２】
周知のように、従来のナースコール子機は、患者や被介護者のベットサイドなどに設けられ、ボタン操作によりナースセンタに設置されるナースコール親機に対して呼び出しを行うものである。  
また従来のナースコール子機では、ボタン操作により呼び出しを行うと、ナースコール親機などと通話が可能な状態となり、通話により患者や被介護者の要求が医療従事者に伝達される（例えば、特許文献１参照）。
【０００３】
しかしながら、会話が困難な患者や被介護者にあっては、その要求が医療従事者に伝達できないため、医療従事者はいったん患者の元へ訪れて要求を確認した後、必要な対応を行うといった作業が必要で、医療従事者にとって負担が大きいばかりか、迅速な対応ができないという問題があった。
【特許文献１】特開２００４−３２０５５５公報。
【発明の開示】
【発明が解決しようとする課題】
【０００４】
従来のナースコール子機では、医療従事者にとって負担が大きいばかりか、迅速な対応ができないという問題があった。  
この発明は上記の問題を解決すべくなされたもので、医療従事者が呼び出しの理由を把握でき、医療従事者の負担を軽減し、迅速な対応を行うことが可能なナースコール子機を提供することを目的とする。
【課題を解決するための手段】
【０００５】
上記の目的を達成するために、この発明は、医療従事者を呼び出すナースコール子機において、要求の内容に対応づけられた呼出データを記憶する呼出データ記憶手段と、ユーザから要求の内容を受け付ける受付手段と、この受付手段が受け付けた内容に対応する呼出データを記憶手段から読み出して送信する送信手段とを具備して構成するようにした。
【発明の効果】
【０００６】
以上述べたように、この発明では、ユーザから要求の内容を受け付けて、この受け付けた内容に応じて、この内容に予め対応づけられた呼出データを送信するようにしている。  したがって、この発明によれば、ユーザは要求する内容を医療従事者に報知することができるので、医療従事者が呼び出しの理由を把握でき、医療従事者の負担を軽減し、迅速な対応を行うことが可能なナースコール子機を提供できる。
【発明を実施するための最良の形態】
【０００７】
以下、図面を参照して、この発明の一実施形態について説明する。  
図１は、この発明の一実施形態に係わるナースコール子機１の外観を示すものである。この図に示すように、上記ナースコール子機１は、スピーカ１０と、マイクロホン２０と、表示部３０と、照明部４０と、回転式入力部５０と、ボタン式入力部６０と、接続部８０と、吊下部９０とを備える。
【０００８】
また上記ナースコール子機１の構成を機能ブロック図で図２に示す。この図に示すようにナースコール子機１は、スピーカ１０と、マイクロホン２０と、表示部３０と、照明部４０と、回転式入力部５０と、ボタン式入力部６０と、記憶部７０と、制御部１００とを備える。
【０００９】
スピーカ１０は、ナースセンタに設置されるナースコール親機を通じて医療従事者から送られた音声信号が後述する制御部１００を通じて入力され、患者や被介護者に拡声出力するものである。マイクロホン２０は、患者や被介護者の送話音声を電気信号に変換して、制御部１００に出力する。
【００１０】
表示部３０は、ＬＣＤ（Liquid Crystal Display）などを用いて視覚的に情報を表示するものであって、制御部１００の制御により、例えば図２（ａ）〜（ｄ）に示すような表示を行う。
【００１１】
照明部４０は、当該ナースコール子機１の外観において、暗闇においてもボタン式入力部６０の位置がわかるように、ボタン式入力部６０を照明するものであって、例えば図１に示すようにボタン式入力部６０の外周をリング状に取り巻くように設けられる。
【００１２】
回転式入力部５０は、患者や被介護者の操作により、円盤もしくは半円盤状の回転体が回転（もしくは回動）することに伴って、ＯＮ／ＯＦＦが繰り返され、患者や被介護者から入力を受け付ける回転式のスイッチであって、この入力により生じたＯＮ／ＯＦＦ情報は制御部１００に通知される。
【００１３】
ボタン式入力部６０は、ボタンを備え、このボタンを患者や被介護者が指で押下することによってＯＮ状態となり、指を放すことによりＯＦＦ状態に復帰する押下式のスイッチで、このようにして得られるＯＮ／ＯＦＦ情報が制御部１００に通知される。
【００１４】
記憶部７０は、制御部１００の制御プログラムや制御データを記憶する他に、図２に示すような表示データや、この表示データにそれぞれ対応づけられた呼出データを記憶するものである。
【００１５】
すなわち、図２（ａ）にしめすような「スタッフ呼出」の表示データには、スタッフからの呼び出し要求を示す呼出データが対応づけられ、図２（ｂ）にしめすような「呼出」の表示データには、患者や被介護者からの呼び出し要求を示す呼出データが対応づけられる。また、図２（ｃ）にしめすような「点滴」の表示データには、点滴の終了を示す呼出データが対応づけられ、図２（ｄ）にしめすような「トイレ」の表示データには、排泄に関わるサポートの要求を示す呼出データが対応づけられる。
【００１６】
接続部８０は、病室や介護室の壁面に設けられた接続端子に接続され、ナースセンタに設置されるナースコール親機に収容され、ナースコール親機からの電力供給を当該ナースコール子機１に行ったり、データ通信用の回線として用いられる。  
吊下部９０は、環状をなしており、ベットサイドなどに設けられるフックなどに吊り下げられる。
【００１７】
制御部１００は、記憶部７０に記憶される制御プログラムや制御データにしたがって動作し、当該ナースコール子機１の各部を統括して制御するものであって、ナースセンタに設置されるナースコール親機との音声通信やデータ通信に関わる制御機能や、回転式入力部５０やボタン式入力部６０の操作に応じて、表示部３０に表示する画像を切り替え制御したり、それに対応する呼出データを上記ナースコール親機に送信する制御機能を備える。
【００１８】
次に、上記構成のナースコール子機１の動作について説明する。ここでは特に、回転式入力部５０やボタン式入力部６０の操作に応じた呼出データの送信制御について詳述する。この制御は、図４に示すようなフローチャートにしたがって、制御部１００によってなされる。
【００１９】
接続部８０が壁面に設けられた接続端子に接続されて、当該ナースコール子機１に電力が供給されると、制御部１００は照明部４０を点灯させるとともに、記憶部７０から制御プログラムや制御データを読み込んで、図４に示した処理を開始する。
【００２０】
まず、ステップ４ａにおいて制御部１００は、接続部８０の通信回線を監視し、ナースコール親機から通話要求が生じたか否かを判定する。ここで、通話要求が生じた場合には、ステップ４ｆに移行し、通話要求が生じていない場合には、ステップ４ｂに移行する。なお、上記通話要求としては、通信リンク開設のための着信データであってもよいし、ナースコール親機から出力された音声信号であってもよい。
【００２１】
ステップ４ｂにおいて制御部１００は、回転式入力部５０が操作されたか否かを判定する。ここで、回転式入力部５０が操作された場合には、ステップ４ｃに移行し、一方、回転式入力部５０が操作されない場合には、ステップ４ａに移行する。
【００２２】
ステップ４ｃにおいて制御部１００は、ステップ４ｂで検出した回転式入力部５０の操作に応じて、記憶部７０から対応する表示データを読み出して、この表示データの基づく画像を表示部３０に表示する。
【００２３】
例えば、図３（ａ）に示す表示がなされた状態で、回転式入力部５０の操作により、ＯＮ／ＯＦＦが１回だけ行われた場合には、図３（ｂ）に示す表示データを読み出して表示し、またＯＮ／ＯＦＦが２回行われた場合には、図３（ｃ）に示す表示データを読み出して表示し、そしてＯＮ／ＯＦＦが３回行われた場合には、図３（ｄ）に示す表示データを読み出して表示する。さらにＯＮ／ＯＦＦが４回行われた場合には、図３（ａ）に示す表示データを読み出して表示する。
【００２４】
ステップ４ｄにおいて制御部１００は、ボタン式入力部６０が操作されたか否かを判定する。ここで、ボタン式入力部６０が操作された場合には、ステップ４ｅに移行し、一方、ボタン式入力部６０が操作されない場合には、ステップ４ａに移行する。
【００２５】
ステップ４ｅにおいて制御部１００は、現在、表示部３０に表示している表示に対応する呼出データを記憶部７０から読み出して、これを呼出信号とともに接続部８０を通じてナースコール親機に送信し、ステップ４ａに移行する。なお、上記呼出信号には、当該ナースコール子機１を識別する識別情報が含まれている。
【００２６】
これによりナースコール親機では、上記呼出信号と呼出データを受信すると、上記呼出信号に含まれる識別情報に基づいて、どの病室のどの病床のどの患者（被介護者）から呼出が生じたかを判断し、内蔵する表示部にその情報を表示して医療従事者に呼出発生を報知する。また、この際、上記呼出信号とともに受信した呼出データの種類に基づいて、視覚的な情報を表示する。
【００２７】
つまり、呼出データが「スタッフ呼出」を示す場合には、スタッフからの呼出要求である旨を表示し、また呼出データが「呼出」を示す場合には、患者や被介護者からの呼出要求である旨を表示し、そして、呼出データが「点滴」を示す場合には、点滴の終了を示す表示を行い、そしてまた呼出データが「トイレ」を示す場合には、排泄に関わるサポートが要求されていることを示す表示を行う。
【００２８】
これに伴って、医療従事者がナースコール親機を操作して、当該ナースコール子機１に対して通話要求を行うと、ステップ４ａにてこれが検出されて、ステップ４ｆに移行することになる。
【００２９】
ステップ４ｆにおいて制御部１００は、接続部８０を通じてナースコール親機との間で双方向の通話リンクを開設し、ステップ４ｇに移行する。これによりナースコール親機から送信される音声信号は、スピーカ１０を通じて拡声出力され、一方、マイクロホン２０を通じて入力された送話音声は、ナースコール親機に向けて送信され、ナースコール親機にて拡声出力される。
【００３０】
ステップ４ｇにおいて制御部１００は、ナースコール親機から受信される信号を監視し、終話信号を受信したか否かを判定する。ここで、終話信号を受信した場合にはステップ４ｈに移行し、一方、終話信号を受信しない場合には、そのまま通話リンクを保持して通話を継続する。なお、終話信号は、ナースコール親機において、医療従事者が通話用のハンドセットをオフフックしたり、終話ボタンを操作することにより、ナースコール親機から当当該ナースコール子機１に宛てて送信される。  
ステップ４ｈにおいて制御部１００は、ナースコール親機との間に開設していた通話リンクを切断し、ステップ４ａに移行する。
【００３１】
以上のように、上記構成のナースコール子機では、患者や被介護者が回転式入力部５０を操作して要求に応じた画像を表示部３０に表示させ、これに合わせてボタン式入力部６０を操作して呼出要求を行うことにより、表示部３０に表示させた表示内容に応じた要求を示す呼出データをナースコール親機に送信するようにしている。
【００３２】
したがって、上記構成のナースコール子機によれば、患者や被介護者は単に呼びだしを行うだけでなく、呼び出しでの要求内容を医療従事者に伝達できるので、医療従事者が呼び出しの理由を把握できる。このため、医療従事者は、要求を確認するためにナースセンタと病室の間を行き来する必要がなくなるので、その負担が軽減され、また迅速な対応を行うことができる。
【００３３】
また、回転式入力部５０は、回転式のスイッチであって、ユーザの回転操作に応じて制御部１００が記憶部７０から表示データを順次読み出して、表示部３０に表示するようにしている。
【００３４】
さらに、ボタン式入力部６０は、押下式のスイッチであって、ユーザの押下操作に応じて制御部１００が表示部３０に表示している表示データに対応する要求の内容を受け付けるようにしている。
【００３５】
なお、この発明は上記実施形態そのままに限定されるものではなく、実施段階ではその要旨を逸脱しない範囲で構成要素を変形して具体化できる。また上記実施形態に開示されている複数の構成要素を適宜組み合わせることによって種々の発明を形成できる。また例えば、実施形態に示される全構成要素からいくつかの構成要素を削除した構成も考えられる。さらに、異なる実施形態に記載した構成要素を適宜組み合わせてもよい。
【００３６】
その一例として例えば、上記実施の形態では、接続部８０を通じてナースコール親機と通信するものとして説明したが、有線に限らず、無線で通信を行う構成としてもよい。  
その他、この発明の要旨を逸脱しない範囲で種々の変形を施しても同様に実施可能であることはいうまでもない。
【図面の簡単な説明】
【００３７】
【図１】この発明に係わるナースコール子機の一実施形態の外観を示す図。
【図２】図１に示したナースコール子機の構成を示す回路ブロック図。
【図３】図１に示したナースコール子機の表示部に表示される画像の例を示す図。
【図４】図１に示したナースコール子機の動作を示すフローチャート。
【符号の説明】
【００３８】
１…ナースコール子機、１０…スピーカ、２０…マイクロホン、３０…表示部、４０…照明部、５０…回転式入力部、６０…ボタン式入力部、７０…記憶部、８０…接続部、９０…吊下部、１００…制御部。
【図１】
2006191293.tif 000003
【図２】
2006191293.tif 000004
【図３】
2006191293.tif 000005
【図４】
2006191293.tif 000006